(57)【特許請求の範囲】
【請求項１】
最大口径から所定の中間絞口径迄は絞設定環の設定絞値に応じて開放口径が変化し、上記中間絞口径から最少絞口径迄は絞設定環の設定絞値に拘らず開放口径が一定に保持されるレンズであって、
上記絞設定環とは別に、絞情報をカメラボディ側に伝達する絞情報伝達部材を設け、この絞設定環と絞情報伝達部材との間に、上記開放口径の変化領域では絞設定環の回動位置に拘らず絞情報伝達部材を一定位置に保持し、開放口径の非変化領域では両者を一緒に回動させる連動機構を介在させたレンズの測光情報伝達装置において、
上記絞情報伝達部材を、一端部が絞設定環上の光軸からの偏心位置に枢着され、他端部に絞情報伝達突起を有する円弧状レバー部材として構成し、
この絞情報伝達レバーとレンズの固定部分との間に、上記開放口径の変化領域において絞設定環が回動したときには上記絞情報伝達突起の位置を変化させず、開放口径の非変化領域において絞設定環が回動したときには上記絞情報伝達突起を絞設定環と一緒に回動させるカム機構を設けたことを特徴とするレンズの測光情報伝達装置。
【請求項２】
請求項１記載のレンズの測光情報伝達装置において、上記カム機構は、絞情報伝達レバーに設けたカム溝と；このカム溝に嵌まる、レンズの固定位置に設けた姿勢制御ピンと；を備え、
上記カム溝は、上記開放口径の変化領域に対応する非円弧区間と；開放口径の非変化領域に対応する光軸を中心とする円弧区間と；を備えているレンズの測光情報伝達装置。
【請求項３】
請求項１または２に記載のレンズの測光情報伝達装置において、絞設定環には、光軸を中心とする円弧状溝が備えられ、上記姿勢制御ピンは、この円弧状溝と絞情報伝達レバーのカム溝の双方に共通に嵌まっているレンズの測光情報伝達装置。
【発明の詳細な説明】
【０００１】
【技術分野】
本発明は、一眼レフカメラに装着されるレンズの自動絞り装置に関し、特にその絞に関する測光情報をカメラボディ側に伝達する測光情報伝達装置に関する。
【０００２】
【従来技術及びその問題点】
本出願人は、最大口径から所定の中間絞口径迄は絞設定環の設定絞値に応じて開放口径が変化し、上記中間絞口径から最小絞口径迄は絞設定環の設定絞値に拘らず開放口径が一定に保持されるレンズについて特許を得た（特公平７−７４８８０号公報）。この自動絞り装置によれば、最大口径から所定の中間絞口径迄の領域では、絞の設定を変えると、その絞効果（ソフトフォーカス効果）を直接ファインダ視することができ、一方、中間絞値から最小絞迄は、シャッタレリーズの直前に設定絞値に絞り込む自動絞として機能する。すなわちファインダが暗くなることを避けたい絞領域では、絞効果の確認の必要性が低いことから、絞効果を確認するすることなく、自動絞機能を得ることができる。なおここで言うソフトフォーカス効果とは、レンズの球面収差による効果で、絞込によって、効果が少なくなるという性質がある。
【０００３】
さらに、本出願人は、この自動絞り装置において、測光方式および絞値情報をカメラボディ側に伝達する測光情報伝達装置についても特許を得た（特公平７−１９０１５号公報）。この測光情報伝達装置は、最大口径から中間絞値迄は、いわゆる絞込測光を行ない、中間絞値から最小絞値迄は開放測光を行なうものであり、絞設定環とは別に、絞情報をカメラボディ側に伝達する絞連係部材（絞情報伝達部材）を設け、この絞設定環と絞連係部材との間に、上記開放口径の変化領域では絞設定環の回動位置に拘らず絞連係部材を一定位置に保持し、開放口径の非変化領域では両者を一緒に回動させる連動機構を介在させたことを特徴としている。
【０００４】
この連動機構は、具体的には、絞設定環、絞連係部材ともに全環状部材として構成されていて、両者の間に、両者を逆方向に回動付勢する連係ばねを張設していた。ところが、この連係ばねは、絞設定環の回動位置（設定絞値）によって引張量が変化するため、絞設定環（絞操作環）の回転トルクを不均一にしていた。また絞設定環（絞操作環）を設定絞値にクリックするクリック力は、連係ばねの最大付勢力に抗する大きさとしなければならず、いきおい大きい操作力を要することとなって操作感に悪影響を与えていた。
【０００５】
【発明の目的】
本発明は従って、最大口径から所定の中間絞口径迄は絞設定環の設定絞値に応じて開放口径が変化し、上記中間絞口径から最小絞口径迄は絞設定環の設定絞値に拘らず開放口径が一定に保持され、さらに、レンズ側からボディ側への絞込測光と開放測光の情報伝達を自動的に行なうことのできる測光情報伝達装置において、絞設定環と絞情報伝達部材との間にばね力を介在させる必要のない、操作感に優れた測光情報伝達装置を得ることを目的とする。
【０００６】
【発明の概要】
本発明は、最大口径から所定の中間絞口径迄は絞設定環の設定絞値に応じて開放口径が変化し、中間絞口径から最少絞口径迄は絞設定環の設定絞値に拘らず開放口径が一定に保持されるレンズであって、絞設定環とは別に、絞情報をカメラボディ側に伝達する絞情報伝達部材を設け、この絞設定環と絞情報伝達部材との間に、上記開放口径の変化領域では絞設定環の回動位置に拘らず絞情報伝達部材を一定位置に保持し、開放口径の非変化領域では両者を一緒に回動させる連動機構を介在させたレンズの測光情報伝達装置において、絞情報伝達部材を、一端部が絞設定環上の光軸からの偏心位置に枢着され、他端部に絞情報伝達突起を有する円弧状レバー部材として構成し、この絞情報伝達レバーとレンズの固定部分との間に、開放口径の変化領域において絞設定環が回動したときには絞情報伝達突起の位置を変化させず、開放口径の非変化領域において絞設定環が回動したときには上記絞情報伝達突起を絞設定環と一緒に回動させるカム機構を設けたことを特徴としている。
【０００７】
このカム機構は、例えば、絞情報伝達レバーに設けたカム溝と；このカム溝に嵌まる、レンズの固定位置に設けた姿勢制御ピンと；から構成し、このカム溝に、開放口径の変化領域に対応する非円弧区間と；開放口径の非変化領域に対応する光軸を中心とする円弧区間と；を設けることができる。また、絞設定環には、光軸を中心とする円弧状溝を設け、姿勢制御ピンを、この円弧状溝と絞情報伝達レバーのカム溝の双方に共通に嵌めることができる。
【０００８】
【発明の実施の形態】
図１に一枚を代表させて描いた絞羽根１１には、その表裏にダボ１１ａ、１１ｂが突出形成されている。この絞羽根１１は、相対回転可能な絞支持環１２と絞開閉環１３によって挟着されており、この絞支持環１２と絞開閉環１３に、ダボ１１ａとダボ１１ｂをそれぞれ嵌入させる、カム溝１２ａと支持孔１３ａが形成されている。カム溝１２ａは、周知のように、絞支持環１２と絞開閉環１３を相対回転させると、複数の絞羽根１１による絞開口が開閉する形状をしている。
【０００９】
この絞支持環１２と絞開閉環１３は双方が回動可能である。図に絞込み方向を矢印で示した。絞支持環１２は、自身のばね掛けピン１２ｂと鏡筒固定部（レンズ固定部）のばね掛けピン１４との間に張設した引張ばね１５により、絞込方向に回動付勢されている。また絞支持環１２には、回動範囲規制ピン１２ｃと、連動突出片１２ｄとが光軸と平行な方向の前後に突出形成されている。前方に延びる回動範囲規制ピン１２ｃは、鏡筒固定部に設けた回動範囲規制溝１６に嵌まり、後方に延びる連動突出片１２ｄは、カムリング１８から光軸と平行な方向に突出する規制突出片１８ａとの係合位置に延びている。
【００１０】
絞開閉環１３は、後方のレリーズリング２２側に延びる、光軸と平行な被動突出片１３ｃを有している。
【００１１】
絞設定環（カムリング）１８は、その径方向突起１８ｂにより、外部から回動操作可能な図示しない絞操作環（絞目盛環）と一体に回動する。このカムリング１８の周面には、絞込区間２０ａと自動絞区間２０ｂ（図５参照）とを有するカム面２０が形成されている。絞込区間２０ａは、一定の径を有する部分であって、最大口径（最小Ｆ値）から所定の中間絞値（例えばＦ２〜Ｆ４）に対応し、自動絞区間２０ｂは、絞込区間２０ａから径を徐々に縮小する部分であって、中間絞値から最小絞（最大Ｆ値）に対応する。規制突出片１８ａは、絞設定環１８が絞開放位置にあるとき、引張ばね１５の力に抗して連動突出片１２ｄを押し、絞設定環１８が所定の中間絞値になる迄、連動突出片１２ｄとの接触を保持する。
【００１２】
この絞設定環１８のカム面２０には、軸２１ａで鏡筒固定部に枢着された中間レバー２１のフォロアピン２１ｂが当接係合する。フォロアピン２１ｂは、Ｖ字状をなす中間レバー２１の一方の脚部２１ｃに植設されており、この中間レバー２１の他方の脚部は、レリーズリング２２に植設したストッパピン２２ａと当接係合して、レリーズリング２２の最大回動端を規制するストッパ脚２１ｄを構成している。
【００１３】
レリーズリング２２はさらに、光軸と平行に後方に延びるボディ連動杆２２ｂと、ボディ連動杆２２ｂと反対の前方に延びる開閉環連動杆２２ｃとを有し、開閉環連動杆２２ｃは、その先端二股部２２ｄ内に、絞開閉環１３の被動突出片１３ｃを嵌入させている。このレリーズリング２２は、自身に植設したばね掛けピン２２ｅと、鏡筒固定部に固定したばね掛けピン２４との間に張設した引張ばね２５により、絞込方向に回動付勢されている。従って、絞開閉環１３も同方向に回動付勢されている。ボディ連動杆２２ｂは、ボディへの装着状態では、ボディ側絞駆動部材（図示せず）と当接し、レリーズリング２２は引張ばね２５を撓ませる方向、つまり絞開放方向に回動させられた位置に保持される。ボディ側駆動部材は、シャッタレリーズに先立ち、ボディ連動杆２２ｂとの非係合位置に逃げる部材である。
【００１４】
絞設定環１８の図１、図２の下部には、絞情報伝達レバー２６の枢着孔１８ｃが穿設されている。この枢着孔１８ｃの位置は、光軸からの偏心位置である。一方、絞設定環１８の裏面には、略半円状の絞情報伝達レバー２６が位置しており、この絞情報伝達レバー２６の一端部に設けた軸（ダボ）２６ａがこの枢着孔１８ｃに回動自在に支持されている。絞情報伝達レバー２６の他端部には、ボディ側に、絞込測光と開放測光の別、および開放測光時の絞値情報を伝達する絞情報伝達突起２６ｂが突設されている。この実施例では、軸２６ａと絞情報伝達突起２６ｂの間隔は約１８０゜に設定している。
【００１５】
絞情報伝達レバー２６には、軸２６ａと絞情報伝達突起２６ｂの中間位置に、カム溝２７が穿設されている。このカム溝２７は、図３に示すように、非円弧区間２７ａと、光軸を中心とする円弧区間２７ｂとを有しており、このカム溝２７に、鏡筒固定部を構成するレバー２８の先端に設けた姿勢制御ピン３０が嵌まっている。姿勢制御ピン３０は、絞設定環１８側からカム溝２７に嵌まっており、このため、絞設定環１８には、このピン３０を緩通させる光軸を中心とする円弧状溝１８ｄが形成されている。
【００１６】
カム溝２７の非円弧区間２７ａは、絞設定環１８がカム面２０の絞込区間２０ａで回動する間においては、絞情報伝達レバー２６の軸２６ａが絞設定環１８とともに回動移動しても絞情報伝達突起２６ｂが移動しないように、姿勢制御ピン３０によって絞情報伝達レバー２６を軸２６ａを中心に揺動させる形状をしている。これに対し、円弧区間２７ｂは、絞設定環１８がカム面２０の自動絞区間２０ｂに入って回動する間において、絞情報伝達レバー２６の軸２６ａが絞設定環１８とともに回動移動すると、単に姿勢制御ピン３０に対して相対移動し、絞情報伝達突起２６ｂに軸２６ａと等しい回動量を与える（絞情報伝達レバー２６を揺動させない）。絞設定環１８と絞情報伝達レバー２６との間には、絞情報伝達突起２６ｂの位置を以上のように制御するためのばね部材は何ら設けられていない。
【００１７】
上記構成の本装置は、次のように作動する。まず絞設定環が開放径（上記例ではＦ２）に設定されている状態では、絞操作環と等しい回動をする絞設定環１８の規制突出片１８ａが絞支持環１２の連動突出片１２ｄを最大に押して、絞支持環１２を絞開放位置に保持している。絞設定環１８を開放径から所定中間絞値（同Ｆ４）の間で回動させると、規制突出片１８ａの回動に伴い、絞支持環１２は、引張ばね１５の力によって絞り込み方向に回動する。すなわち複数の絞羽根１１によって構成される絞開口は、絞り込まれ、ファインダによってその絞効果を確認することができる。
【００１８】
この絞込区間では、絞設定環１８のカム面２０は、その絞込区間（同一径区間）２０ａを中間レバー２１のフォロアピン２１ｂに接触させる。従って中間レバー２１は回動しない。すなわちストッパ脚２１ｄとレリーズリング２２のストッパピン２２ａとは接触状態を保持している。よってこの絞込区間でシャッタをレリーズすると、ボディ側の絞駆動部材がボディ連動杆２２ｂから単に逃げるだけであり、レリーズリング２２および絞開閉環１３は回動しない。
【００１９】
そしてこの絞込区間（開放口径の変化区間）では、絞設定環１８が絞込方向に回動することにより、絞情報伝達レバー２６の軸２６ａも同方向に移動する。ところが、姿勢制御ピン３０は、この絞情報伝達レバー２６に形成されているカム溝２７の非円弧区間２７ａに嵌まっているため、絞情報伝達レバー２６は、絞設定環１８の回動によって絞情報伝達突起２６ｂが移動しないように、自身も軸２６ａを中心に揺動する。図４のＦ２、Ｆ２．８、Ｆ４の図は、この絞込区間の絞設定環１８の回動位置と絞情報伝達レバー２６の揺動位置を描いたもので、絞情報伝達突起２６ｂの位置、つまり姿勢制御ピン３０と絞情報伝達突起２６ｂとの角度αは、変化していない。よって、このときの絞情報伝達突起２６ｂの位置により、絞込測光を行なうべき旨の信号がボディに伝達される。なお、実際には、絞情報伝達突起２６ｂの位置によって特別な絞込測光の信号を発することなく、開放口径の変化によって、取り込まれる光量が変化することにより、絞込測光を行なうことができる。つまり、絞情報伝達突起２６ｂは、以上の状態において動かないことが必須であり、そのことから直接に特別な絞込測光情報を得なくともよい。
【００２０】
絞設定環１８が所定中間絞値（Ｆ４）に達すると、絞支持環１２の回動範囲規制ピン１２ｃは回動範囲規制溝１６の端部に当接し、以後、絞支持環１２の絞込方向への回動は規制される。絞設定環１８がさらに小絞開口（大Ｆ値）に回動すると、今度はカム面２０の自動絞区間２０ｂが中間レバー２１のフォロアピン２１ｂに当接する。すると、中間レバー２１は、カム面２０の自動絞区間２０ｂの形状に従って回動し、そのストッパ脚２１ｄの位置を変える。すなわちストッパ脚２１ｄは、レリーズリング２２のストッパピン２２ａと接触しない状態となる。この状態において、シャッタがレリーズされると、その直前にボディ側の絞駆動部材がボディ連動杆２２ｂから逃げ、その結果、引張ばね２５の力によって、レリーズリング２２および絞開閉環１３が絞込方向に回動する。絞開閉環１３の回動端は、ストッパピン２２ａがストッパ脚２１ｄに当接する位置で規制されるため、シャッタレリーズ時の絞開口は、設定絞値になる。
【００２１】
また、絞設定環１８が所定中間絞値（Ｆ４）に達すると、姿勢制御ピン３０は、カム溝２７の非円弧区間２７ａから円弧区間２７ｂに入る。円弧区間２７ｂは、光軸を中心とする円弧であるから、以後絞設定環１８を絞込方向に回動させても、絞情報伝達レバー２６の軸２６ａを中心とする揺動運動は生じない。その結果、絞情報伝達突起２６ｂは、絞設定環１８と一緒に回動し、設定絞値に応じてその位置を変化させることとなる。図４のＦ４とＦ２２の間の区間は、この絞情報伝達突起２６ｂの移動区間であり、絞情報伝達突起２６ｂがこの区間内に入ったことにより、開放測光を行なうべき旨の信号が出され、さらにその回動位置により、絞設定環１８によって設定された絞値情報がボディに伝達される。
【００２２】
以上の絞設定環１８の回動動作に伴う絞情報伝達突起２６ｂの位置制御には、ばね力は用いられていない。このため、絞設定環１８の回動抵抗が、増加したり、絞設定環１８の回動位置によって変化することがなく、好ましい操作感が得られる。
【００２３】
なお常時は絞を開放とし、シャッタレリーズ時に設定絞とする自動絞装置およびそのカム機構は従来多数が知られている。実施例に示したカム機構はその一例を示すものであり、本発明は、これらのカム機構の如何を問わない。
また実施例においては、姿勢制御ピン３０を絞設定環１８を挟んで絞情報伝達レバー２６の前方に設けているが、絞情報伝達レバー２６の後方に設けることもできる。この場合、絞設定環１８の円弧状溝１８ｄは省略することが可能である。
【００２４】
【発明の効果】
以上のように本発明は、最大口径から所定の中間絞口径迄は絞設定環の設定絞値に応じて開放口径が変化し、中間絞口径から最小絞口径迄は絞設定環の設定絞値に拘らず開放口径が一定に保持されるレンズにおいて、最大口径から所定の中間絞口径迄の領域においては、絞情報伝達突起を移動させずに特定位置に保持することにより、絞込測光を行なうべき信号をボディに伝達することができ、中間絞口径から最小絞口径迄の領域では、絞設定環と一緒に絞情報伝達突起を移動させて、開放測光を行なうべき旨、およびその設定絞値を伝達することができる。そして、絞情報伝達突起を有する絞情報伝達レバーは絞設定環の偏心位置上に枢着されていて、カム機構により絞情報伝達突起の位置が制御されるので、設定絞値により、絞設定環の操作力が変化したり、操作力が重くなったりすることがない。
【図面の簡単な説明】
【図１】本発明によるレンズの測光情報伝達装置の一実施形態を示す分解斜視図である。
【図２】同絞設定環、絞情報伝達レバー部材及び姿勢制御ピンの関係を示す分解斜視図である。
【図３】絞情報伝達レバーのカム溝の形状を示す平面図である。
【図４】絞設定環の回転角と、絞情報伝達レバーの動きを示す正面図である。
【図５】自動絞装置のカム機構の正面図である。
【符号の説明】
１１  絞羽根
１２  絞支持環
１３  絞開閉環
１８  絞設定環
１８ｃ  枢着孔
１８ｄ  円弧状溝
２０  カム面
２０ａ  絞込区間
２０ｂ  自動絞区間
２１  中間レバー
２２  レリーズリング
２６  絞情報伝達レバー
２６ａ  軸
２６ｂ  絞情報伝達突起
２７  カム溝
２７ａ  非円弧区間
２７ｂ  円弧区間
３０  姿勢制御ピン
【図１】
0003699545.tif 000002
【図２】
0003699545.tif 000003
【図３】
0003699545.tif 000004
【図４】
0003699545.tif 000005
【図５】
0003699545.tif 000006